(57)【要約】 【課題】  充電電池或いはコンセントを使用することで発光しかつ照射強度が高く、照射距離の長い懐中電灯を提供する。【解決手段】本考案の携帯充電式超強力懐中電灯は、電灯本体、発光装置とスイッチを備え、電灯本体上には握り部分を備えている。上述の発光装置は第一発光装置と第二発光装置を備え、第一発光装置は電灯本体の一端に位置し、第一発光装置内には第一光源をひとつ備えており、遠距離の照射を行うことができる。上述の電灯本体は流線形の柱体をしており、その内に少なくとも１個の電池、電池に対して充電を行う充電装置、機能切換スイッチ装置と電子回路ボードが設置されている。第二発光装置は電灯本体のもう一端に連接され、充電電池充電の際に予備灯として使用できる第二光源を備えている。上述の第一及び第二の光源はすべて光電子冷陰極線発光装置である。 【選択図】図２  
0003114121.tif 000002
【実用新案登録請求の範囲】
【請求項１】
電灯本体と、発光装置とスイッチとを有し、電灯本体上に握り部分を備えている携帯充電式超強力光源懐中電灯であって、
該発光装置は、第一発光装置と第二発光装置を備え、該第一発光装置は電灯本体の一端にあり、第一発光装置内には第一光源を備えており、遠距離の照射を行うことができ、該電灯本体は、流線型の柱体で、その内側には少なくとも一個の電池と、電池に対して充電を行うことができる充電装置と、機能切換スイッチ装置と、電子回路ボードとを備えており、該第二発光装置は、電灯本体の別の一端に連接されており、充電電池の充電の際に予備灯として使用できる第二光源を有し、また、該第一及び第二の光源はすべて光電子冷陰極線発光装置であることを特徴とする携帯充電式超強力光源懐中電灯。
【請求項２】
前記第一光源は、少なくとも一個の光電子冷陰極発光管を備えており、前記第一発光装置は、前記第一光源の発する光線を反射するのに用いられる第一反射鏡と、集光鏡と当該集光鏡前部に位置する前部キャップリングを有し、前記光電子冷陰極発光管の挿入端子は、電子回路ボード上に連接され、反射鏡の円孔位置の中心に固定されていることを特徴とする請求項１に記載の携帯充電式超強力光源懐中電灯。
【請求項３】
前記第二光源は、少なくとも1個の光電子冷陰極発光管を備えており、前記第二発光装置は、前記第二光源に置かれている光電子冷陰極発光管上の集光柱と、第二光源が発する光線を反射する第二反射鏡と、第二光源外部に位置する電灯カバーとを含むことを特徴とする請求項１又は請求項２に記載の携帯充電式超強力光源懐中電灯。
【請求項４】
前記電灯本体上には更に残量を表示できる電量指示灯を備えていることを特徴とする請求項１又は請求項２に記載の携帯充電式超強力光源懐中電灯。
【請求項５】
前記第二反射鏡は、湾曲面形状をしており、その表面に多くの異なる光線反射角度を有する光線反射面が分布していることを特徴とする請求項３に記載の携帯充電式超強力光源懐中電灯。
【請求項６】
前記の前部キャップリングは、柔軟性材料により構成され、前記電灯本体は前部キャップリング部が形成する平面に対して垂直になっていることを特徴とする請求項３に記載の携帯充電式超強力光源懐中電灯。
【請求項７】
前記充電装置は、可動式の、コンセントと連接する電源プラグを備えており、該電源プラグは電灯本体と平行な第一位置と電灯本体と垂直な第二位置の間を相互に移動することができることを特徴とする請求項１に記載の携帯充電式超強力光源懐中電灯。
【考案の詳細な説明】
【技術分野】
【０００１】
本考案は一種の携帯照明具に関するものであり、特に電池或いはコンセントを電源とするライト型の懐中電灯に関するものである。
【背景技術】
【０００２】
携帯照明具は公安、消防などの業界や家庭の非常用などで広く用いられ、用途に応じて握り式と照明式等の各種に分かれており、その中でも携帯式の懐中電灯の使用が最も普及している。現在、普通の懐中電灯は、照明光源の種類が単一で、照射強度が低く、距離が短く、多種の照明方式を要求する作業環境と作業方式には適していない。また、既存の懐中電灯の多くは普通の乾電池を使用しており、充電やコンセントを使用することはできず、照明時間が短くまた残量を示す装置が無く、使用者に極めて大きな不便を与えている。
【特許文献１】記載なし
【考案の開示】
【考案が解決しようとする課題】
【０００３】
前記の問題点に鑑み、本考案の解決しょうとする課題は、多種照明方式の、充電電池或いはコンセントを使用することで発光しかつ照射強度が高く、照射距離の長い懐中電灯を提供する。
【課題を解決するための手段】
【０００４】
本考案の携帯充電式超強力懐中電灯は、電灯本体、発光装置とスイッチを備え、電灯本体上には握り部分を備えている。上述の発光装置は第一発光装置と第二発光装置を備え、第一発光装置は電灯本体の一端に位置し、第一発光装置内には第一光源をひとつ備えており、遠距離の照射を行うことができる。上述の電灯本体は流線形の柱体をしており、その内に少なくとも１個の電池、電池に対して充電を行う充電装置、機能切換スイッチ装置と電子回路ボードが設置されている。第二発光装置は電灯本体のもう一端に連接され、充電電池充電の際に予備灯として使用できる第二光源を備えている。上述の第一及び第二の光源はすべて光電子冷陰極発光装置である。
【０００５】
第二に、上述の携帯充電式超強力光源懐中電灯において、第一光源は少なくとも1個の光電子冷陰極発光管を備えている。第一発光装置は、第一光源の発する光線を反射するのに用いられる第一反射鏡、集光鏡と該集光鏡前部に位置する前部キャップリングを備えている。上述の光電子冷陰極発光管の挿入端子は電子回路ボード上に連接されており、反射鏡の円孔の中心に固定されている。
第三に、上述の携帯充電式超強力光源懐中電灯において、上述の第二光源は少なくとも1個の光電子冷陰極発光管を備えている。第二発光装置は、第二光源に置かれている光電子冷陰極発光管上の集光柱1セット、第二光源が発する光線を反射する第二反射鏡と第二光源外部に位置する電灯カバーを備えている。
また、上述の電灯本体上には更に残量を表示する電力量指示灯を設置することができる。更に、上述の携帯充電式超強力光源懐中電灯において、上述の第二反射鏡は湾曲面形状であり、その表面には異なる光線反射角度を有する多くの光線反射面が分布している。更に、上述の前部キャップリングは柔軟性材料により構成されており、上述の電灯本体は前部キャップリング端部が形成する平面に対して垂直になっている。更に、上述の充電装置は可動式の、コンセントと連接する電源プラグを備え、その電源プラグは電灯本体と平行な第一位置と電灯本体と垂直な第二位置の間で相互に移動しうる。
【考案の効果】
【０００６】
上述の様式に従った本考案は、多種の照明方式を備え、かつ充電電池に対して充電を行う充電装置を利用して繰り返し充電することができ、充電装置はコンセントを利用して電池に充電しながら、第二発光装置を予備灯として使用できる。上述の第一及び第二の光源は光電子冷陰極発光装置をそれぞれ使用しているので、有効に電気エネルギーを利用することができ、照明の強さと有効距離を向上させることができる。また、環境保護、省エネルギーの科学技術製品で、家庭、オフィスなどの業務用に適している。
【考案を実施するための最良の形態】
【０００７】
本考案の目的、構造、特徴、およびその機能をより分かりやすくするために、次に実施例を用いてこれらを詳しく説明する。
【０００８】
本考案の携帯充電式超強力光源懐中電灯は、遠距離の照射を行うことのできる光源の第一発光装置と、充電電池と機能切換スイッチ及び電子回路ボードを有する電灯本体と、充電時に予備灯として使用できる第二発光装置とを備えている。
図２は、本考案の携帯充電式超強力光源懐中電灯の縦断面図である。ここに図１乃至図7を示すが、特に図2を中心にして説明する。図2に示す如く、第一発光装置は、少なくとも一個の光電子冷陰極発光管2と、放物面形状の反射鏡3(すなわち第一反射鏡)と、ガラス或いはその他の透明材料からなる集光鏡4とより構成されている。当該集光鏡4前部には柔軟性材料により構成された前部キャップリング5があり、該懐中電灯の本体は前部キャップリング端部が形成する平面に対して垂直になっている。該光電子冷陰極発光管2の挿入端子は、回路ボード6上に連接されていて、反射鏡3の円孔位置7の中心に固定されている。当該光電子冷陰極発光管2の発する光線は集光鏡4の集光凸レンズ8を通過し、光線を集中させ、遠距離に対し照射を行うことができる。
【０００９】
第二発光装置は電灯本体のもうひとつの端部に設けられており、電子回路ボード15の一端に固定され電気的に連接された光電子冷陰極発光管21と、光電子冷陰極発光管21上に置かれた蛍光半透明の集光柱22と、該蛍光半透明集光柱22の上端に精密に連接され組み合わされた光線反射鏡24（即ち第二反射鏡）とより構成されている。該光電子冷陰極発光管21上に置くために、当該集光柱22は軸方向に沿ってその柱体を中心孔23が貫いている。また、集光柱22は各種の色の材料で制作することができ、内部から放射される光線は各種の異なる色を備えることができる。一方当該光線反射鏡24の上端は電灯カバー25の内部の先端部に固定されている。当該光線反射鏡24は湾曲面形状をしており、その表面に多くの異なる光線反射角度を有する光線反射面（附属図中未表示）が分布している。
【００１０】
懐中電灯の本体は、第一発光装置と第二発光装置の間に連接していて、シェルボディ1と、少なくとも1個の電池9と、当該電池9の両端の金属接触片10とを含む。該シェルボディ1上には握り部分を備えている。シェルボディ1の電池9上には電池蓋11があり、当該電池蓋11の一端には蓋フック12があり、使用者は蓋フック12を動かすことで、電池蓋11を開けることができ、電池9を取り出し交換を行うことができる。該電池は充電電池でもよい。懐中電灯の本体内には更に充電装置及び電子回路ボードを備えており、当該充電装置は外部電源（コンセントなど）と電子回路ボードを通じて電池9に対し充電を行い、又は直接光電子冷陰極発光管2と光電子冷陰極発光管21を発光させることができる。シェルボディ1上部表面には可動スイッチ蓋13があり、当該可動スイッチ蓋13の下部は機能切換スイッチ14に接している。当該機能切換スイッチ14は電子回路ボード15上に固定されており、機能切換スイッチ14は異なる発光装置の発光を切り替えるのに用いられる。電子回路ボード15の一端には一対の金属部品16が有り、一対の金属部品16はそれぞれ可動式コンセントプラグ17の一対の金属差込ソケット18に接触している。
【００１１】
シェルボディ1上部表面には3個の電力量指示灯19を有し、電量指示灯19は懐中電灯の使用者に電池9の残量をはっきりと知らせることができる。当該可動式コンセントプラグ17は、第一位置と第二位置の間を相互に移動することができ、可動式コンセントプラグ17は第一位置ではシェルボディ1と平行状態となり、このとき、可動式コンセントプラグ17は電源ボックス20内に収納することができる。可動式コンセントプラグ17は第二位置ではシェルボディ1と垂直状態となり、このとき、可動式コンセントプラグ17の金属差込ソケット18の一端は電気コンセントに差し込むことで電気を取り込むことができ、金属差込ソケット18のもう一端は電子回路ボード15の一対の金属部品16に接触している。電気が可動式コンセントプラグの金属差込ソケット18と金属部品16を通じ電子回路ボード15に送られ、電子回路の充電、発光などの多くの機能を生み出すことはいうまでもない。
【００１２】
このほか、上述の光電子冷陰極発光管の数は照明時の需要に基づき1個から複数個に増加することができ、なおかつ電灯本体上には複数個の発光装置を設置することができる。複数個の発光装置の組み合わせが同時に存在する場合、そのそれぞれの構造の特徴は上述と同じであり、ここでは更に述べることを省略する。
以上の説明は本考案の比較的優れた実施例を更に踏み込んで解釈するために用いられるものであり、本考案に対するいかなる形式上の制限を意図するものではない。従って、同様の製作精神のもと作られる本考案に関する如何なる改修、変化或いは効果が同等の置き換え、例えば電灯本体或いは電灯カバーの形状と色及びその内部各部品の数量、形状、取り付け位置、材料の質などは、すべて本考案の保護範囲内に属する。
【図面の簡単な説明】
【００１３】
【図１】本考案の携帯充電式超強力光源懐中電灯の側面図である。
【図２】本考案の携帯充電式超強力光源懐中電灯の縦断面図である。
【図３】本考案の携帯充電式超強力光源懐中電灯の正面図である。
【図４】本考案携帯充電式超強力光源懐中電灯の後部図である。
【図５】本考案携帯充電式超強力光源懐中電灯の平面図である。
【図６】本考案携帯充電式超強力光源懐中電灯の底面図である。
【図７】本考案携帯充電式超強力光源懐中電灯の側面図である。
【符号の説明】
【００１４】
１  シェルボディ
２  光電子冷陰極発光管
３  反射鏡
４  集光鏡
５  キャップリング
６  電気回路ボード
７  円孔位置
８  集光凸レンズ
９  電池
１０  金属接触片
１１  電池蓋
１２  蓋フック
１３  可動スイッチ蓋
１４  機能切換スイッチ
１５  電子回路ボード
１６  金属部品
１７  可動式コンセントプラグ
１８  金属差込ソケット
１９  電量指示灯
２０  電源ボックス
２１  光電子冷陰極線発光管
２２  集光柱
２３  中心孔
２４  光線反射鏡
２５  電灯カバー
【図１】
0003114121.tif 000003
【図２】
0003114121.tif 000004
【図３】
0003114121.tif 000005
【図４】
0003114121.tif 000006
【図５】
0003114121.tif 000007
【図６】
0003114121.tif 000008
【図７】
0003114121.tif 000009